(57)【特許請求の範囲】
【請求項１】
シャワー使用時に湯水を節水する節水具と，シャワー終了時にシャワーヘッド及びシャワーホースに残留する湯水を外部へ排出させるシャワー排水具と，を備え，
前記節水具は，
一端が閉鎖壁で閉鎖され，他端が開口し，内部が中空な所定長さの筒状をなし，該閉鎖壁の中央部に該閉鎖壁を貫通した第１の取付け孔及び該取付け孔の周辺に所定面積の開口を形成して通水する第１の通水孔が設けられた第１の筒状体と，
一端が開口し，該開口を差込口にして前記第１の筒状体が挿入される差込部を有し，他端が開口し，内部が中空な所定長さの第２の筒状体と，
前記第１の筒状体の閉鎖壁面と対峙し，前記第１の取付け孔に連通する第２の取付け孔及び該取付け孔の周辺に前記第１の通水孔の開口を所定の範囲で閉口又は開口して通水する第２の通水孔を有する節水板と，
を備え，
前記節水板は，前記第２の筒状体の中空孔内に位置決めされ，前記第１の筒状体が前記第２の筒状体の差込孔に挿入されて，前記節水板と該第１の筒状体の閉鎖壁面とが対峙され，前記第１，第２の取付け孔に固定具が挿通されて前記第１の筒状体が前記第２の筒状体に対して回転自在に固定されており，
前記シャワー排水具は，両端に開口部，内部に通水孔及び側壁の一部に前記通水孔に連通する収容孔が設けられた第３の筒状体を備え，該収容孔に給水圧が掛かると水抜き口を閉塞し，該給水圧が解除されると前記水抜き口を開放する水抜き弁が収容され，
前記第２の筒状体と前記第３の筒状体とは一体又は着脱自在な固定手段により結合されていることを特徴とするシャワー設備用節水装置。
【請求項２】
前記第２の筒状体は，その中空孔内にその内壁面を所定高さ隆起させた突起が設けられ，前記節水板は前記突起に当接されて位置決めされていることを特徴とする請求項１に記載のシャワー設備用節水装置。
【発明の詳細な説明】
【技術分野】
【０００１】
本発明は，シャワー設備用節水装置に関し，更に詳しくは，シャワー設備に付設してシャワー使用時に水及び湯の混合水（以下，湯水という。）の節水を図り，シャワー終了時にはシャワーヘッドなどに残留する湯水を自動的に外部へ排出させるシャワー設備用節水装置に関する。
【背景技術】
【０００２】
近年，水資源の確保が難しくなってきている。特に，夏季は降雨量が少なくなる一方で水の使用量が多くなるので，水不足が深刻な社会問題となって来ている。
この対策として，水道水を供給する企業体などは，夏季に，一般家庭などへ節水を呼び掛けて節水を図っている。また，機器メーカーからは，蛇口などに取付けで節水ができる種々のタイプの節水器具が提案されている。
【０００３】
例えば，特許第４１００６９３号公報（特許文献１）には，制水駒を用い，この制水駒によって多様な流量制御に対応できる流量制御弁の発明が記載されている。また，特開２０１１−３３１３３号公報（特許文献２）には，不慣れな作業者でも容易に所望の吐出状態が得られるように流量調整を行うことができる流量調整器の発明が記載されている。
【０００４】
一方，シャワー設備に付設してシャワーホース内に残留する湯水を排出させる水抜き器具も提案されている。例えば，特開平９−５６６２８号公報（特許文献３）には，シャワー使用後に，シャワーホース内に残留する湯を排出させる水抜き弁を備えたシャワー装置の発明が記載されている。また，実開平４−６２１８６号公報（特許文献４）には，ホースの途中に，給水圧かかかると水抜き口を閉塞し，給水圧が解除されると水抜き口を開放する水抜栓を設けた水抜栓付きシャワーホースの考案が記載されている。
【先行技術文献】
【特許文献】
【０００５】
【特許文献１】特許第４１００６９３号公報
【特許文献２】特開２０１１−３３１３３号公報
【特許文献３】特開平９−５６６２８号公報
【特許文献４】実開平４−６２１８６号公報
【発明の概要】
【発明が解決しようとする課題】
【０００６】
上記特許文献１及び２に記載されているように，節水器具は既に知られている器具であり，また，上記特許文献３，４に記載されているように，水抜き器具も既に知られている器具である。しかしながら，従来，これらの器具を併設して使用されることはなかった。その理由は，従来の節水器具をシャワー設備に併設すると，節水器具の節水効果により水流が低下し，シャワーヘッドから吹き出す湯水の勢いが弱くなってしまい，シャワー機能が低下するためであった。
【０００７】
そこで，シャワー設備における節水対策は，シャワーヘッドを改造し，従来のシャワーヘッドに比べて吐出（吹き出し）孔の径を小さくすることにより節水をはかる，いわゆる節水型シャワーヘッドを使用する方策が採られている。しかし，このような節水型シャワーヘッドを使用すると，ある程度の節水が可能となるが，その節水量は節水型シャワーヘッドの種類によって左右され，使用される場所などによっては所望の節水効果を期待できないことがある。
【０００８】
この対策としては節水型シャワーヘッドと節水器具との併設が考えられるが，節水型シャワーヘッドと節水器具との間での節水の調整が面倒となり，調整がうまく行かない場合が生じ，節水型シャワーヘッドが使用できなくなる恐れがある。特に，高層建物では，高層階，中層階及び低層階とでそれぞれ水圧が異なるので，各階の水圧に応じた調節を行う必要があるため，節水型シャワーヘッドと節水器具との併設が極めて困難となる。
【０００９】
また，上記のように，節水型シャワーヘッドはある程度の節水が可能であるが，一方でシャワー終了時にシャワーヘッド及びシャワーホース内に湯水が溜まって排出されずに残ってしまうことがある。特に，節水型シャワーヘッドは，従来のシャワーヘッドに比べて吐出孔の径が小さくなっているので，湯水はこの吐出孔から排出され難くなり，残留してしまうことが多くなる。シャワーヘッドなどに湯水が残留すると，この残留した湯水がシャワーヘッドから徐々に外部へ流出して，周辺の浴室或いは洗面器を濡らしてしまうことがある。
【００１０】
例えば，ホテルなどでは，お客がチェックアウトすると，直ちに部屋の掃除が始まり，浴室などの清掃が短時間に行われて，新しいお客を迎え入れることになる。ところが，客室へ入ったお客は，洗面器或いは浴室に水が溜まっているのをみて，清掃されていない旨の苦情を出すことがある。この水が溜った原因は，シャワーヘッド及びシャワーホース内などに溜まった湯水が時間の経過に伴ってシャワーヘッドから徐々に漏出することによるものである。
【００１１】
また，上記特許文献３に記載の水抜き弁を備えたシャワー装置及び上記特許文献４に記載の水抜栓付きシャワーホースは，これまで節水器具と併設して使用されることがなかった上，これらにはまた以下の課題が潜在している。すなわち，特許文献３に記載の水抜き弁を備えたシャワー装置は，弁体を収容する収容孔をジョイントの側面に設け，その内側端面を流路に突出させているので，突出部の形成が面倒となり，またこの突出部が湯水の流れの障害となることがある。また，収容孔の円孔は１個とみられるので，このため湯水の流量が制限され，更に残水が通る流路がこの円孔及び切欠き部の２か所となり，残水の排出がスムーズにならない恐れがある。
【００１２】
また，特許文献４に記載の水抜栓付きシャワーホースは，パイプ状本体部の長手方向途中部分から側方に突出された水抜部が水抜栓となっている。このため，この水抜栓を構成する複数個の部品，すなわちバネ，弁シート面，ボール及びストッパーは全てパイプ状本体部の貫通孔から収容しなければならないので，水抜部の形成及び水抜栓の組立て，調整及びメンテナンスが極めて面倒なものとなっている。したがって，上記特許文献３に記載の水抜き弁を備えたシャワー装置及び上記特許文献４に記載の水抜栓付きシャワーホースは，それらの構造からして剛性を有する金属製とすることが極めて困難であった。
【００１３】
本発明は，上記従来技術が抱える課題などを解決するためになされたものである。すなわち，本発明の目的は，シャワー使用時に湯水の節水をはかる一方で，シャワー終了時にシャワーヘッドなどに残留する湯水を自動的に外部へ排出させるシャワー設備用節水装置を提供することにある。
また，本発明の他の目的は，上記目的に加え，シャワーヘッドの吐水量を確認しながら簡単に節水調整ができるシャワー設備用節水装置を提供することにある。
更にまた，本発明の他の目的は，装置を構成する部材を金属などの剛性材で作製でき，耐久性アップを図ると共に組立て及び製作が容易なシャワー設備用節水装置を提供することにある。
【課題を解決するための手段】
【００１４】
本発明の上記目的は，以下の構成によって達成できる。すなわち，本発明の第１の態様のシャワー設備用節水装置は，
シャワー使用時に湯水を節水する節水具と，シャワー終了時にシャワーヘッド及びシャワーホースに残留する湯水を外部へ排出させるシャワー排水具と，を備え，
前記節水具は，
一端が閉鎖壁で閉鎖され，他端が開口し，内部が中空な所定長さの筒状をなし，該閉鎖壁の中央部に該閉鎖壁を貫通した第１の取付け孔及び該取付け孔の周辺に所定面積の開口を形成して通水する第１の通水孔が設けられた第１の筒状体と，
一端が開口し，該開口を差込口にして前記第１の筒状体が挿入される差込部を有し，他端が開口し，内部が中空な所定長さの第２の筒状体と，
前記第１の筒状体の閉鎖壁面と対峙し，前記第１の取付け孔に連通する第２の取付け孔及び該取付け孔の周辺に前記第１の通水孔の開口を所定の範囲で閉口又は開口して通水する第２の通水孔を有する節水板と，
を備え，
前記節水板は，前記第２の筒状体の中空孔内に位置決めされ，前記第１の筒状体が前記第２の筒状体の差込孔に挿入されて，前記節水板と該第１の筒状体の閉鎖壁面とが対峙され，前記第１，第２の取付け孔に固定具が挿通されて前記第１の筒状体が前記第２の筒状体に対して回転自在に固定されており，
前記シャワー排水具は，両端に開口部，内部に通水孔及び側壁の一部に前記通水孔に連通する収容孔が設けられた第３の筒状体を備え，該収容孔に給水圧が掛かると水抜き口を閉塞し，該給水圧が解除されると前記水抜き口を開放する水抜き弁が収容され，
前記第２の筒状体と前記第３の筒状体とは一体又は着脱自在な固定手段により結合されていることを特徴とする。
【００１５】
本発明の第１の態様に係るシャワー設備用節水装置によれば，シャワー使用時に湯水の節水を図り，シャワー終了時にシャワーヘッド及びシャワーホースに残留する湯水を自動的に外部へ排出させることができるとともに，シャワーヘッドから吹き出す水量を確認しながら簡単に節水調整ができ，更に，装置を構成する部材を金属などの剛性材で作製できるため，耐久性アップを図ると共に組立て及び製作が容易になる。
【００１６】
また，本発明の第１の態様に係るシャワー設備用節水装置においては，前記第２の筒状体は，その中空孔内にその内壁面を所定高さ隆起させた突起が設けられ，前記節水板は前記突起に当接されて位置決めされているものとしてもよい。
【００１７】
更に，本発明の第１の態様に係るシャワー設備用節水装置においては，前記第１，２の筒状体は，少なくともいずれか一方の筒状体の外壁面にそれらの回転量を示す表示及び両筒状体の回転をロックするロック手段が設けられているものとしてもよい。
【図面の簡単な説明】
【００２０】
【図１】本発明の実施形態に係るシャワー設備用節水装置が設置されるシャワー設備の概略図である。
【図２】図１のシャワー設備用節水装置を長手方向（立設状態では直立方向）の中心線上で切断した断面図である。
【図３】図２のシャワー設備用節水装置を構成する節水具を示し，図３Ａは断面図，図３Ｂは節水具を構成する第１の筒状体閉鎖壁の側面図である。
【図４】図３の節水具を構成する節水板を示し，図４Ａは断面図，図４Ｂは図４Ａの左側面図，図４Ｃは図４Ａの右側面図である。
【図５】図２のシャワー設備用節水装置を構成するシャワー排水具の断面図である。
【図６】図５のシャワー排水具を構成する水抜き弁を示し，図６Ａは側面図，図６Ｂは上面図，図６Ｃは背面図である。
【図７】図５のシャワー排水具を構成する弁カバー体を示し，図７Ａは側面図，図７Ｂは上面図，図７Ｃは背面図である。
【図８】図８Ａは本発明の参考例に係るシャワー設備用節水装置の断面図であり，図８Ｂは側面図である。
【発明を実施するための形態】
【００２１】
以下，図面を参照して本発明の実施形態を説明する。但し，以下に説明する実施形態は，本発明の技術思想を具体化するためのシャワー設備用節水装置を例示するものであって，本発明をこれらに特定することを意図するものではなく，本発明は特許請求の範囲に含まれるその他の実施形態のものにも等しく適用し得るものである。
【００２２】
［実施形態］
図１〜図７を参照して，本発明の実施形態に係るシャワー設備用節水装置を説明する。
【００２３】
本発明の実施形態に係るシャワー設備用節水装置２は，図１に示すように，シャワー設備１に付設して使用されるものである。
【００２４】
図１に示すシャワー設備１は，一般的なシャワー設備であって，冷水と熱湯とを混合して吐出させる混合水栓１０と，この混合水栓に接続されて温度調節された湯水を散水させるシャワーヘッド１６とを備えている。このシャワー設備１において，シャワー設備用節水装置２は，その一端が混合水栓１０に結合され，他端にはシャワーホース１５が接続され，このシャワーホース１５の先端にはシャワーヘッド１６が結合されている。シャワーヘッド１６は，通常，浴室の壁面に取付けた掛け具１７に掛けて使用される。
【００２５】
混合水栓１０は，浴室の壁面に取付けられ，一端が熱湯供給器具１１，他端が冷水供給器具１２に連結されている。なお，熱湯供給器具１１及び冷水供給器具１２は，それぞれ配管１１Ａ，１２Ａにより熱湯供給源及び冷水供給源に結合されている。
【００２６】
このシャワー設備１は，熱湯供給器具１１及び冷水供給器具１２を操作して湯水の温度調節を行い，ハンドル１３の切換えによって湯水をノズル１４又はシャワーヘッド１６のから吐出させる。このとき，シャワー使用時は，シャワーヘッド１６からシャワー設備用節水装置２によって調整された湯水が散水され，またシャワー終了時は，シャワー設備用節水装置２からシャワーヘッド１６及びシャワーホース１５に残留する湯水が自動的に外部へ排出される。
【００２７】
シャワー設備用節水装置２は，図２に示すように，シャワー使用時に湯水を節水する節水具３と，シャワー終了時にシャワーヘッド１６及びシャワーホース１５に残留する湯水を外部へ自動的に排出させるシャワー排水具４と，を備えている。
【００２８】
先ず，図２〜図４を参照して，シャワー設備用節水装置２を構成する節水具３について説明する。節水具３は，一端が閉鎖壁３１で閉鎖され，他端が開口し，内部が中空な所定長さの筒状体からなり，閉鎖壁３１の中心部に閉鎖壁３１を貫通した第１の取付け孔３１ｂ（図２参照）及びこの第１の取付け孔３１ｂの周辺に所定面積の開口からなる所定量の湯水を通水する第１の通水孔３１ｃ，３１ｃ'（図３参照）が設けられた調整筒状体（以下，第１の筒状体という。）３０と，一端が開口し，この開口を差込口にして第１の筒状体３０が挿入される差込部を有し，他端が開口し，内部が中空な所定長さの連結筒状体（以下，第２の筒状体という。）３５と，この第１の筒状体３０の閉鎖壁３１面と対峙し，第１の取付け孔３１ｂに連通する第２の取付け孔３８ａ及びこの第２の取付け孔３８ａの周辺に第１の通水孔３１ｃ，３１ｃ'の開口を所定の範囲で閉口し又は開口して通水する第２の通水孔３８ｄ，３８ｄ'（図４参照）を有する節水板３８と，を備えている。
【００２９】
第１の筒状体３０は，一端が閉鎖壁３１で閉鎖され，他端が開口し，内部が中空な所定長さの円形筒状体からなり，金属材で形成されている。この金属材は，例えば快削黄銅（ＢｓＢＭ／Ｃ３６０４ＢＤ）が好ましい。また，この金属製の第１の筒状体３０は，その外壁面を金属メッキ，例えばクロムメッキするのが好ましい。この第１の筒状体３０を金属材で作製し，メッキを施すことによって，機械的強度が高く，耐久性がアップし，しかも高級感を創出できる。なお，ここでは第１の筒状体３０を金属材で作製した例を示したが，これに限定されるものでなく，第１の筒状体３０を樹脂材で作製してもよい。
【００３０】
図２，図３に示すように，内部の中空孔３２は，湯水を通す通水孔となっている。また閉鎖壁３１側の外周壁面には，パッキンが装着される大きさの深さ及び幅長を有する凹み溝３３ａ，及び固定ネジ３５Ａがガイドされるガイド凹み溝３３ｂが形成されている。なお，この凹み溝３３ａの形成により，第１の筒状体３０の端部は，閉鎖壁３１と凹み溝３３ａに接近したフランジ部３１ａとなる。
【００３１】
閉鎖壁３１は，その中心部，すなわち長手軸線上に，この壁を貫通した所定大きさの第１の取付け孔３１ｂと，この取付け孔の周辺に第１の通水孔３１ｃ，３１ｃ'が設けられている。取付け孔３１ｂは，固定具３４Ａが挿通される大きさであり，また，第１の通水孔，すなわち２個の通水孔３１ｃ，３１ｃ'は，図３Ｂに示すように，それぞれ所定の開口面積を有し，取付け孔３１ｂ中心にして左右対称に配設されている。
【００３２】
２個の通水孔３１ｃ，３１ｃ'の形状は，同じ形状であって，大きい開口面積を有する大開口とこの大開口から徐々に開口面積を減少させた小開口と有する孔形状，換言すると頭部が大開口及びこの頭部から出た尾部が小開口となっている。この形状によって，節水板３８の通水孔との間で，通水量をきめ細かく調節できる。なお，２個の通水孔３１ｃ，３１ｃ'は，上記形状に限定されるものではなく，他の形状に形成してもよい。なお。固定具３４Ａは，図２，図３Ａに示すように，頭部から端部へ向かって所定長さ及び太さのボルトからなり，このボルトは取付け孔に挿通されて，端部に止め具，例えばナットが固定される。
【００３３】
凹み溝３３ａに装着されるパッキン３４Ｂ（図２参照）は，断面がＵ字状をしたリングパッキン，いわゆるＵパッキン（ＮＢＲ／硬度７０°，食衛適）を用いるのが好ましい。このＵ字状リングパッキンを使用することにより，第１の筒状体３０及び第２の筒状体３５間の水漏れを阻止できると共に，第１の筒状体３０の回転をスムーズにできる。なお，この種のパッキンには，Ｏ状リングパッキンがあるが，これを用いると密閉度が良好となるが，筒状体の回転が極めて困難となって回り難くなることがあり，無理して回すと部材を破損することがあるので，Ｕ字状リングパッキンが好ましい。
【００３４】
第２の筒状体３５は，図２，図３に示すように，両端がそれぞれ開口し内部が中空な所定長さの円形筒状体からなり，金属材で形成されている。この金属材は，第１の筒状体３０と同じ材料で形成されている。
この第２の筒状体３５は，一端の開口から，他方の開口端に向かって，中空孔３６が形成されて，この中空孔３６は，第１の筒状体３０の筒状部の部分が差し込まれる内径φ１（記号図示省略）の中径筒状部Ａと，節水板３８が位置決めされる内径φ２（記号図示省略）の小径筒状部Ｂと，中径筒状部Ａの内径と略同じ中径φ３（記号図示省略）の中径筒状部Ｃとに区分されて，中空孔３６内の各区分の境界が所定高さの段差で繋がっている。なお，中空孔の径は，φ１＝φ３＞φ２となっている。
【００３５】
中径筒状部Ａは，その中空孔３６が第１の筒状体３０の筒状部の部分が差し込まれる内径を有し，第１の筒状体３０のフランジ部３１ａが当接する壁面及びパッキン３４Ｂが摺接する内壁面を有している。また，外周壁面には目盛（図示省略）が刻設されており，更にこの外周壁面を貫通して，第１の筒状体３０の回転を止めるロック孔３５ａが形成されている。この目盛を設けることにより，第１の筒状体３０の外周壁面に設けられた矢印などの表示（図示省略）との組み合わせによって，第１の筒状体３０の回転量を外部から確認することができる。また，ロック孔３５ａには，固定ネジ３５Ａがネジ込まれており，この固定ネジ３５Ａを調節することによって第１の筒状体３０が回転できないようにすることができる。この固定ネジ３５Ａは，第１の筒状体３０の回転をロックするロック手段となるが，ロック手段はこれに限定されるものでなく，公知のロック手段を用いてもよい。
【００３６】
図３Ａに示したように，第２の筒状部３５における小径筒状部Ｂには，この部分の中空孔３６に節水板３８が嵌め込み位置決めされる突起３７がされている。すなわち，この突起３７は，中空孔３６の内周壁から中心軸線側へ向かって所定高さ隆起した凸状突起となっている。この凸状突起３７により，中空孔３６の内径が他の部分と比べて狭められ，この狭められた箇所に節水板３８が嵌め込まれる。
【００３７】
節水板３８は，図４に示すように，所定の径及び肉厚を有する円盤状の金属板体からなり，プレス加工により作製されている。金属はステンレス鋼が好ましい。この節水板３８は，外周縁を若干残して，中央部へ向けて所定深さ凹ませた浅深の皿状をなしている。このプレス加工により，外周縁は鍔部３８ｃ，他の部分は皿底となり，この皿底３８ｂには，その中心部に底板を貫通する第２の取付け孔３８ａと，この取付け孔３８ａの左右に所定面積の第２の通水孔３８ｄ，３８ｄ'が形成されている。第１の通水孔３１ｃ，３１ｃ'と，第２の３８ｄ，３８ｄ'とが重なったときは通水量が最大になり，この位置がずれるに従って通水量が徐々に減少することになる。
【００３８】
節水具３の組立ては，先ず，第２の筒状体３５の中空孔３６内に節水板３８を嵌め込み，位置決め固定する。次いで，この筒状体３５の開口部から第１の筒状体３０を差込み，この閉鎖壁３１を節水板３８に対峙させる。その後，節水板３８の第２の取付け孔３８ａと第１の筒状体３０の第１の取付け孔３１ｂとを合せ，これらの孔に固定具３４Ａのボルトを挿入して，ボルトの先端部に止め具，すなわちナットを固定する。この際，第１の筒状体３０を節水板３８に対して，回転自在に固定する。これにより，第１の通水孔３１ｃ，３１ｃ'と第２の通水孔３８ｄ，３８ｄ'との各開口が対向する。
【００３９】
この組立てにより，第１の筒状体３０を回転させることによって，第１の通水孔３１ｃ，３１ｃ'と第２の通水孔３８ｄ，３８ｄ'との開口面積が変更されて流水量が調整される。
【００４０】
この節水具３によれば，第１，２の筒状体３０，３５は，節水板３８を介して，結合されているので，両筒状体３０，３５を金属材などの剛性材で作製できる。これにより，節水具３は筒状体（ハウジング）は，耐久性及びデザイン性をアップすると共に，高級感を発現できる。また，第１，第２の通水孔３１ｃ，３１ｃ'は中央の第１，第２の取付け孔の周辺に設けてあるので，通水が偏ることなく分散し，使い勝手が良くなる。
【００４１】
更に第１の筒状体３０を回転させることによって，外部から節水量ないし流出量を確認しながら簡単に可変設定できる。また，第２の筒状体３５に突起３７を設け，この突起３７を利用して節水板３８の位置決めできるので，簡単な構造で節水板３８を固定ができる。更に，表示及びロック手段を設けたので，節水の可変設定が簡単になると共に，設定状態をロックして置くことができる。
【００４２】
次に，図２，図５〜図７を参照して，シャワー排水具４を説明する。シャワー排水具４は，図５に示すように，両端に所定径の開口を有する開口部４１ａ，４１ｂ，これらの開口部に連通し内部に湯水を通水する所定径の貫通孔からなる通水孔４２と，長手方向（立設状態では直立方向）の略中央部の側壁の一部を貫通し，通水孔４２に連通して内部に水抜き弁４５が収容される収容孔４３とを有する排水筒状体４０（以下，第３の筒状体という。）からなり，剛性材，例えば金属材で作製されている。
【００４３】
両端の開口部４１ａ，４１ｂのうち，一方の開口部４１ａ側に節水具３に連結される結合手段４１ａ'，他の開口部４１ｂにシャワーホース１５に連結される結合手段４１ｂ'が設けてられている。一方の結合手段４１ａ'は外周壁面に刻設した雄ネジ，他方の結合手段４１ｂ'は内周壁面に刻設した雌ネジとなっている。なお，第１，第２の開口部の結合手段はネジにしたが，これに限定されることなく，公知の任意の結合手段，例えばワンタッチ結合手段などを使用してもよい。
【００４４】
貫通孔からなる通水孔４２は，内径が略同一径にされ，内壁面に突起などが設けられていないので，例えば特許文献３のシャワー装置と比すると，水の抵抗が少なく，スムーズに通水させることができる。
【００４５】
収容孔４３は，側壁の一部を外方へ隆起・膨出させた柱状部４４に形成されている。この柱状部は，略円柱体からなり，直径は後述する水抜き弁４５の頭部直径より大きく，また高さはこの水抜き弁の高さより高くされ，基部４４ａが側壁から隆起・膨出し，頭部４４ｂが平らな平坦面となっている。収容孔４３は，柱状部の頭部４４ｂの平坦面から基部４４ａへ向かって，内径がそれぞれ段階的に小さくされた貫通孔で形成され，この貫通孔は，頭部の平坦面から基部に向かって，最も径が大きい大径孔部４３ａ，この径より若干径が小さい中径孔部４３ｂ，更に径が小さい小径孔部４３ｃとなっている。
【００４６】
大径孔部４３ａは，弁カバー体４６が装着される大きさ，すなわち内径及び深さを有し，内壁面に雌ネジが刻設されている。中径孔部４３ｂは，後で説明する水抜き弁４５の頭部４５ａが挿通され，自由に移動できる大きさとなっている。また，小径孔部４３ｃは，水抜き弁４５の頭部４５ａの径より若干小さい径の開口穴となって，通水孔４２に連通している。この開口穴は，すなわち，小径孔部４３ｃは大径孔部４３ａから水抜き弁４５が挿入されたときに，この水抜き弁４５の頭部４５ａ径より小さい径となっているので，この頭部４５ａが通水孔４２へ飛び出すことがなく，弁口，すなわち，通水孔４２内の湯水を外部へ排出させる水抜き口となっている。この水抜き口は，通水孔内に給水圧が掛かっているときは，水抜き弁４５の頭部によって閉塞され，この給水圧が解除されると開口，すなわち開放されるようになっている。この作用は，水抜き弁４５に装着したコイル状スプリングによってなされる。
【００４７】
水抜き弁４５は，図６に示すように，所定の径及び肉厚を有する円盤状の頭部４５ａと，この頭部に繋がって頭部径より若干径が小さく短長の首部４５ｂと，この首部に繋がって頭部径より若干径が小さく所定の長さの胴部４５ｃと，この胴部に繋がってこの胴部径より若干径が小さく下方へ所定長さ延設された脚部４５ｄとを有し，全体形状が側面視において略ボルト形をなした棒状体からなり，金属材で形成されている。頭部４５ａの外周壁面には，該壁面を所定深さ切り欠いた複数個の切欠き溝４５ａ'が略等間隔に形成されている。
【００４８】
これらの切欠き溝４５ａ'は，残水を外部へ排出する際のドレイン溝となる。複数個のドレイン溝が略間隔に配設されているので，例えば特許文献３のシャワー装置と比すると，残水を効率よく外部へ排出できる。頭部４５ａと首部４５ｂとは，径が異なるので，境界に段差ができ，この段差にコイル状スプリングの一端が当設される，すなわちこの段差はコイル状スプリングの移動を規制するストッパーとなる。また，胴部と脚部との境界にも段差ができ，この段差にＯリングが当接され，すなわちこの段差はＯリングの移動を規制するストッパーとなる。
【００４９】
脚部４５ｃは，胴部より若干径が小さく下方へ所定長さ延設した柱状体からなり，その径は後で説明する弁カバー体４６のドレイン孔４７（図７参照）の径より若干小さく，長さはこのカバーに肉厚より短く形成されている。
【００５０】
弁カバー体４６は，図７に示すように，第３の筒状体４０の大径孔部４３ａ（図５参照）に埋め込み固定される大きさの径及び肉厚を有する円盤状体からなり，中心部に貫通孔からなるドレイン孔４７と，外周側壁面に大径孔部４３ａの内壁面の雌ネジに螺合される固定手段４８と，外面となる平坦面に取付け又は取外し治具が係合される係合溝４９が設けられている。また，ドレイン孔４７の外周囲に凹み穴５０が形成されている。この凹み穴５０の開口は円形状をなし，この穴にコイル状スプリングの一端が位置決めされる。
【００５１】
シャワー排水具４の組立ては，先ず，水抜き弁４５にコイル状スプリン及びリングパッキンを装着して，頭部４５ａ側から収容孔４３内に押し込む。次いで，弁カバー体４６を大径孔４３ａに装着して固定する。この装着は，爪をもった専用工具（図示省略）を用い，爪を係合溝４９へ挿入，螺合で固定する。このシャワー排水具４によれば，給水圧が掛かっているときは水抜き弁４５の脚部４５ｄがドレイン孔４７に挿入されることによりドレイン孔４７が閉塞され，給水圧が解除されるとドレイン孔４７が開放されることにより水が排出される。
【００５２】
上述のようにして組み立てられた節水具３及びシャワー排水具４を用い，これらを連結して，シャワー設備用節水装置２を組立てる。すなわち，シャワー排水具４の結合部４１ａ'に，節水具３の中空孔３６内に設けた結合部に螺合して連結することにより，節水具３及びシャワー排水具４を一体化する。なお，ここでは節水具３とシャワー排水具４との連結手段として螺合結合手段を用いた例を示したが，これに限定されるものではなく，他の公知の連結手段を用いてもよい。勿論，節水具３及びシャワー排水具４は，別々でも使用できる。
【００５３】
このシャワー設備用節水装置２は，シャワー設備１に取付けて使用される。節水調整は，節水具３の第１の筒状体３０を回すことによって行う。すなわち，第１の筒状体３０を回すと，節水板３８の通水孔の開口面積が変化し，流水量が調整され，この調整は，シャワーヘッド１６からの吹き出し量を見ながら簡単にできる。これにより，シャワー使用時に，湯水の節水ができる。また，シャワー終了時は，給水圧が解除されるので，水抜き弁４５が開き，シャワーヘッド１６及びシャワーホース１５に残留した湯水が自動的にドレイン孔４７から外部へ排出される。
【００５４】
［参考例］
次いで，図８を参照して，本発明の参考例に係るシャワー設備用節水装置を説明する。実施形態のシャワー設備用節水装置２は，節水具３とシャワー排水具４とを連結したものであるが，参考例のシャワー設備用節水装置は，実施形態のシャワー排水具４に節水具３Ａを内蔵させた構成となっている。
【００５５】
すなわち，シャワー設備用節水装置は，節水具３Ａを節水板で構成して，この節水板をシャワー排水具４の中空孔内に組込ませた構成となっている。このシャワー設備用節水装置によれば，シャワー排水具に節水具が組み込まれるので，部品点数が少なく，コンパクトで安価なシャワー設備用節水装置を提供できる。
【符号の説明】
【００５６】
１                シャワー設備
２                シャワー設備用節水装置
３，３Ａ          節水具
３０              第１の筒状体
３１              閉鎖壁
３１ｂ            第１の取付け孔
３１ｃ，３１ｃ'  第１の通水孔
３５              第２の筒状体
３７              突起
３８              節水板
３８ａ            第２の取付け孔
３８ｄ，３８ｄ'  第２の通水孔
４                シャワー排水具
４０              第３の筒状体
４２              通水孔
４３              収容孔
４３ｃ            水抜き口
４５              水抜き弁
【要約】
【課題】シャワー使用時に湯水の節水をはかり，シャワー終了時にシャワーヘッドに残留する湯水を自動的に外部へ排出させるシャワー設備用節水装置を提供すること。
【解決手段】節水具２は，第１の通水孔が設けられた第１の筒状体３０と，内部が中空な第２の筒状体３５と，第１の通水孔の開口を所定の範囲で閉口又は開口して通水する第２の通水孔を有する節水板３８とを備え，この節水板３８と第１の筒状体３０の閉鎖壁３１面とを対峙させて第１の筒状体３０を前記第２の筒状体３５に対して回転自在に固定している。シャワー排水具４は，収容孔４３を設けた第３の筒状体４０を備え，収容孔４３に給水圧が掛かると水抜き口４７を閉塞し，給水圧が解除されるとドレイン孔４７を開放する水抜き弁４５が収容されており，第２の筒状体３５と第３の筒状体４０とは一体又は着脱自在な固定手段により結合されている。
【選択図】  図２【図１】
0005695264.tif 000002
【図２】
0005695264.tif 000003
【図３】
0005695264.tif 000004
【図４】
0005695264.tif 000005
【図５】
0005695264.tif 000006
【図６】
0005695264.tif 000007
【図７】
0005695264.tif 000008
【図８】
0005695264.tif 000009